(57)【特許請求の範囲】
【請求項１】
少なくとも映像および音声のいずれかを含んだ複数のコンテンツと前記コンテンツを選択するためのメニューとを有した映像音声情報と、前記映像音声情報の再生順序を制御する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記通常再生の場合は前記再生制御情報記憶手段に記憶された前記命令を参照して実行し、前記ランダム再生の場合は前記再生制御情報記憶手段に記憶された前記命令を無効とすることを特徴とする映像音声情報再生装置。
【請求項２】
前記映像音声情報および前記再生制御情報は、ＤＶＤオーディオフォーマットに従っており、前記再生制御情報は、前記メニューの再生を指示するフラグを含み、前記再生制御手段が、前記通常再生の場合は前記フラグを参照して前記メニューを再生し、前記ランダム再生の場合は前記フラグを無効とすることを特徴とする請求項１に記載の映像音声情報再生装置。
【請求項３】
前記映像音声情報および前記再生制御情報は、ＤＶＤビデオフォーマットに従っており、前記再生制御情報は、プログラムチェーンの最後で実行されるポストコマンドを含み、前記再生制御手段が、前記通常再生の場合は前記ポストコマンドを参照して実行し、前記ランダム再生の場合は前記ポストコマンドを無効とすることを特徴とする請求項１または請求項２に記載の映像音声情報再生装置。
【請求項４】
前記映像音声情報および前記再生制御情報は、ＤＶＤビデオフォーマットに従っており、前記再生制御情報は、プログラムチェーンの先頭で実行されるプリコマンドを含み、前記再生制御手段が、前記通常再生の場合は前記プリコマンドを参照して実行し、前記ランダム再生の場合は前記プリコマンドを無効とすることを特徴とする請求項１ないし請求項３のいずれかに記載の映像音声情報再生装置。
【請求項５】
前記映像音声情報および前記再生制御情報は、ＤＶＤビデオフォーマットに従っており、前記再生制御情報は、プログラムチェーンの目標のセルに到達したとき実行されるセルコマンドを含み、前記再生制御手段が、前記通常再生の場合は前記セルコマンドを参照して実行し、前記ランダム再生の場合は前記セルコマンドを無効とすることを特徴とする請求項１ないし請求項４のいずれかに記載の映像音声情報再生装置。
【請求項６】
前記映像音声情報および前記再生制御情報は、ＤＶＤビデオフォーマットに従っており、前記再生制御情報は、前記メニューが有した複数の選択項目にそれぞれ対応する複数のハイライトコマンドを含み、前記再生制御手段が、前記通常再生の場合は前記操作手段によって選択された選択項目に対応する前記ハイライトコマンドを参照して実行し、前記ランダム再生の場合は前記ハイライトコマンドを無効とすることを特徴とする請求項１ないし請求項５のいずれかに記載の映像音声情報再生装置。
【請求項７】
前記映像音声情報および前記再生制御情報は、ＤＶＤオーディオフォーマットに従っており、前記再生制御情報は、前記メニューが有した複数の選択項目にそれぞれ対応する複数のハイライトコマンドを含み、前記再生制御手段が、前記通常再生の場合は前記操作手段によって選択された選択項目に対応する前記ハイライトコマンドを参照して実行し、前記ランダム再生の場合は前記ハイライトコマンドを無効とすることを特徴とする請求項１ないし請求項６のいずれかに記載の映像音声情報再生装置。
【請求項８】
少なくとも映像および音声のいずれかを含んだ複数のコンテンツと前記コンテンツを選択するためのメニューとを有した映像音声情報と、前記映像音声情報の再生順序を制御する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御情報記憶手段に前記命令が記憶されているとき、前記再生制御手段が、前記ランダム再生の場合は前記ランダム再生から前記通常再生に制御を切り換えることを特徴とする映像音声情報再生装置。
【請求項９】
前記映像音声情報および前記再生制御情報は、ＤＶＤオーディオフォーマットに従っており、前記再生制御情報は、前記メニューの再生を指示するフラグを含み、前記再生制御情報記憶手段に前記フラグが記憶されているとき、前記再生制御手段が、前記ランダム再生の場合は前記ランダム再生から前記通常再生に制御を切り換えることを特徴とする請求項８に記載の映像音声情報再生装置。
【請求項１０】
前記映像音声情報および前記再生制御情報は、ＤＶＤビデオフォーマットに従っており、前記再生制御情報は、プログラムチェーンの最後で実行されるポストコマンドを含み、前記再生制御情報記憶手段に前記ポストコマンドが記憶されているとき、前記再生制御手段が、前記ランダム再生の場合は前記ランダム再生から前記通常再生に制御を切り換えることを特徴とする請求項８または請求項９に記載の映像音声情報再生装置。
【請求項１１】
前記映像音声情報および前記再生制御情報は、ＤＶＤビデオフォーマットに従っており、前記再生制御情報は、プログラムチェーンの先頭で実行されるプリコマンドを含み、前記再生制御情報記憶手段に前記プリコマンドが記憶されているとき、前記再生制御手段が、前記ランダム再生の場合は前記ランダム再生から前記通常再生に制御を切り換えることを特徴とする請求項８ないし請求項１０のいずれかに記載の映像音声情報再生装置。
【請求項１２】
前記映像音声情報および前記再生制御情報は、ＤＶＤビデオフォーマットに従っており、前記再生制御情報は、プログラムチェーンの目標のセルに到達したとき実行されるセルコマンドを含み、前記再生制御情報記憶手段に前記セルコマンドが記憶されているとき、前記再生制御手段が、前記ランダム再生の場合は前記ランダム再生から前記通常再生に制御を切り換えることを特徴とする請求項８ないし請求項１１のいずれかに記載の映像音声情報再生装置。
【請求項１３】
前記映像音声情報および前記再生制御情報は、ＤＶＤビデオフォーマットに従っており、前記再生制御情報は、複数の選択項目にそれぞれ対応する複数のハイライトコマンドを含み、前記再生制御情報記憶手段に前記ハイライトコマンドが記憶されているとき、前記再生制御手段が、前記ランダム再生の場合は前記ランダム再生から前記通常再生に制御を切り換えることを特徴とする請求項８ないし請求項１２のいずれかに記載の映像音声情報再生装置。
【請求項１４】
前記映像音声情報および前記再生制御情報は、ＤＶＤオーディオフォーマットに従っており、前記再生制御情報は、複数の選択項目にそれぞれ対応する複数のハイライトコマンドを含み、前記再生制御情報記憶手段に前記ハイライトコマンドが記憶されているとき、前記再生制御手段が、前記ランダム再生の場合は前記ランダム再生から前記通常再生に制御を切り換えることを特徴とする請求項８ないし請求項１３のいずれかに記載の映像音声情報再生装置。
【請求項１５】
少なくとも映像および音声のいずれかを含んだ複数のコンテンツと前記コンテンツを選択するためのメニューとを有した映像音声情報と、前記メニューを再生する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記再生制御情報記憶手段に記憶された前記命令を参照して前記メニューを再生したとき、前記ランダム再生の場合は前記ランダム再生から前記通常再生に制御を切り換えることを特徴とする映像音声情報再生装置。
【請求項１６】
前記映像音声情報および前記再生制御情報は、ＤＶＤオーディオフォーマットに従っており、前記再生制御情報は、前記メニューの再生を指示するフラグを含み、前記再生制御手段が、前記フラグを参照して前記メニューを再生したとき、前記ランダム再生の場合は前記ランダム再生から前記通常再生に制御を切り換えることを特徴とする請求項１５に記載の映像音声情報再生装置。
【請求項１７】
前記映像音声情報および前記再生制御情報は、ＤＶＤビデオフォーマットに従っており、前記再生制御情報は、プログラムチェーンの最後で実行されるポストコマンドを含み、前記再生制御手段が、前記ポストコマンドを参照して前記メニューを再生したとき、前記ランダム再生から前記通常再生に制御を切り換えることを特徴とする請求項１５または請求項１６に記載の映像音声情報再生装置。
【請求項１８】
前記映像音声情報および前記再生制御情報は、ＤＶＤビデオフォーマットに従っており、前記再生制御情報は、プログラムチェーンの先頭で実行されるプリコマンドを含み、前記再生制御手段が、前記プリコマンドを参照して前記メニューを再生したとき、前記ランダム再生の場合は前記ランダム再生から前記通常再生に制御を切り換えることを特徴とする請求項１５ないし請求項１７のいずれかに記載の映像音声情報再生装置。
【請求項１９】
前記映像音声情報および前記再生制御情報は、ＤＶＤビデオフォーマットに従っており、前記再生制御情報は、プログラムチェーンの目標のセルに到達したとき実行されるセルコマンドを含み、前記再生制御手段が、前記セルコマンドを参照して前記メニューを再生したとき、前記ランダム再生の場合は前記ランダム再生から前記通常再生に制御を切り換えることを特徴とする請求項１５ないし請求項１８のいずれかに記載の映像音声情報再生装置。
【請求項２０】
前記映像音声情報および前記再生制御情報は、ＤＶＤビデオフォーマットに従っており、前記再生制御情報は、複数の選択項目にそれぞれ対応する複数のハイライトコマンドを含み、前記再生制御手段が、前記ハイライトコマンドを参照して前記メニューを再生したとき、前記ランダム再生の場合は前記ランダム再生から前記通常再生に制御を切り換えることを特徴とする請求項１５ないし請求項１９のいずれかに記載の映像音声情報再生装置。
【請求項２１】
前記映像音声情報および前記再生制御情報は、ＤＶＤオーディオフォーマットに従っており、前記再生制御情報は、複数の選択項目にそれぞれ対応する複数のハイライトコマンドを含み、前記再生制御手段が、前記ハイライトコマンドを参照して前記メニューを再生したとき、前記ランダム再生の場合は前記ランダム再生から前記通常再生に制御を切り換えることを特徴とする請求項１５ないし請求項２０のいずれかに記載の映像音声情報再生装置。
【請求項２２】
映像音声情報の再生順序を制御する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記通常再生の場合は記憶された前記命令を参照して実行するステップと、前記ランダム再生の場合は前記命令を無効とするステップとを備えたことを特徴とする映像音声情報再生方法。
【請求項２３】
前記映像音声情報および前記再生制御情報は、ＤＶＤオーディオフォーマットに従っており、前記再生制御情報は、選択項目を有したメニューの再生を指示するフラグを含み、前記通常再生の場合は前記フラグを参照して前記メニューを再生し、前記ランダム再生の場合は前記フラグを無効とすることを特徴とする請求項２２に記載の映像音声情報再生方法。
【請求項２４】
前記映像音声情報および前記再生制御情報は、ＤＶＤビデオフォーマットに従っており、前記再生制御情報は、プログラムチェーンの最後で実行されるポストコマンドを含み、前記通常再生の場合は前記ポストコマンドを参照して実行し、前記ランダム再生の場合は前記ポストコマンドを無効とすることを特徴とする請求項２２または請求項２３に記載の映像音声情報再生方法。
【請求項２５】
前記映像音声情報および前記再生制御情報は、ＤＶＤビデオフォーマットに従っており、前記再生制御情報は、プログラムチェーンの先頭で実行されるプリコマンドを含み、前記通常再生の場合は前記プリコマンドを参照して実行し、前記ランダム再生の場合は前記プリコマンドを無効とすることを特徴とする請求項２２ないし請求項２４のいずれかに記載の映像音声情報再生方法。
【請求項２６】
前記映像音声情報および前記再生制御情報は、ＤＶＤビデオフォーマットに従っており、前記再生制御情報は、プログラムチェーンの目標のセルに到達したとき実行されるセルコマンドを含み、前記通常再生の場合は前記セルコマンドを参照して実行し、前記ランダム再生の場合は前記セルコマンドを無効とすることを特徴とする請求項２２ないし請求項２５のいずれかに記載の映像音声情報再生方法。
【請求項２７】
前記映像音声情報および前記再生制御情報は、ＤＶＤビデオフォーマットに従っており、前記再生制御情報は、複数の選択項目にそれぞれ対応する複数のハイライトコマンドを含み、前記通常再生の場合は前記ハイライトコマンドを参照して実行し、前記ランダム再生の場合は前記ハイライトコマンドを無効とすることを特徴とする請求項２２ないし請求項２６のいずれかに記載の映像音声情報再生方法。
【請求項２８】
前記映像音声情報および前記再生制御情報は、ＤＶＤオーディオフォーマットに従っており、前記再生制御情報は、複数の選択項目にそれぞれ対応する複数のハイライトコマンドを含み、前記通常再生の場合は前記ハイライトコマンドを参照して実行し、前記ランダム再生の場合は前記ハイライトコマンドを無効とすることを特徴とする請求項２２ないし請求項２７のいずれかに記載の映像音声情報再生方法。
【請求項２９】
映像音声情報の再生順序を制御する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記命令が前記記憶されているとき、前記ランダム再生の場合は前記ランダム再生から前記通常再生に制御を切り換えるステップとを備えたことを特徴とする映像音声情報再生再生方法。
【請求項３０】
前記映像音声情報および前記再生制御情報は、ＤＶＤオーディオフォーマットに従っており、前記再生制御情報は、選択項目を有したメニューの再生を指示するフラグを含み、前記フラグが記憶されているとき、前記ランダム再生の場合は前記ランダム再生から前記通常再生に制御を切り換えることを特徴とする請求項２９に記載の映像音声情報再生方法。
【請求項３１】
前記映像音声情報および前記再生制御情報は、ＤＶＤビデオフォーマットに従っており、前記再生制御情報は、プログラムチェーンの最後で実行されるポストコマンドを含み、前記ポストコマンドが前記記憶されているとき、前記ランダム再生の場合は前記ランダム再生から前記通常再生に制御を切り換えることを特徴とする請求項２９または請求項３０に記載の映像音声情報再生方法。
【請求項３２】
前記映像音声情報および前記再生制御情報は、ＤＶＤビデオフォーマットに従っており、前記再生制御情報は、プログラムチェーンの先頭で実行されるプリコマンドを含み、前記プリコマンドが前記記憶されているとき、前記ランダム再生の場合は前記ランダム再生から前記通常再生に制御を切り換えることを特徴とする請求項２９ないし請求項３１のいずれかに記載の映像音声情報再生再生方法。
【請求項３３】
前記映像音声情報および前記再生制御情報は、ＤＶＤビデオフォーマットに従っており、前記再生制御情報は、プログラムチェーンの目標のセルに到達したとき実行されるセルコマンドを含み、前記セルコマンドが前記記憶されているとき、前記ランダム再生の場合は前記ランダム再生から前記通常再生に制御を切り換えることを特徴とする請求項２９ないし請求項３２のいずれかに記載の映像音声情報再生再生方法。
【請求項３４】
前記映像音声情報および前記再生制御情報は、ＤＶＤビデオフォーマットに従っており、前記再生制御情報は、複数の選択項目にそれぞれ対応する複数のハイライトコマンドを含み、前記ハイライトコマンドが前記記憶されているとき、前記ランダム再生の場合は前記ランダム再生から前記通常再生に制御を切り換えることを特徴とする請求項２９ないし請求項３３のいずれかに記載の映像音声情報再生再生方法。
【請求項３５】
前記映像音声情報および前記再生制御情報は、ＤＶＤオーディオフォーマットに従っており、前記再生制御情報は、複数の選択項目にそれぞれ対応する複数のハイライトコマンドを含み、前記ハイライトコマンドが前記記憶されているとき、前記ランダム再生の場合は前記ランダム再生から前記通常再生に制御を切り換えることを特徴とする請求項２９ないし請求項３４のいずれかに記載の映像音声情報再生再生方法。
【請求項３６】
映像音声情報を選択するためのメニューを再生する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記命令を参照して前記メニューを再生するステップと、前記メニューを再生するとき、前記ランダム再生の場合は前記ランダム再生から前記通常再生に制御を切り換えるステップとを備えたことを特徴とする映像音声情報再生再生方法。
【請求項３７】
前記映像音声情報および前記再生制御情報は、ＤＶＤオーディオフォーマットに従っており、前記再生制御情報は、前記メニューの再生を指示するフラグを含み、前記フラグを参照して前記メニューを再生したとき、前記ランダム再生の場合は前記ランダム再生から前記通常再生に制御を切り換えることを特徴とする請求項３６に記載の映像音声情報再生再生方法。
【請求項３８】
前記映像音声情報および前記再生制御情報は、ＤＶＤビデオフォーマットに従っており、前記再生制御情報は、プログラムチェーンの最後で実行されるポストコマンドを含み、前記ポストコマンドを参照して前記メニューを再生したとき、前記ランダム再生の場合は前記ランダム再生から前記通常再生に制御を切り換えることを特徴とする請求項３６または請求項３７に記載の映像音声情報再生再生方法。
【請求項３９】
前記映像音声情報および前記再生制御情報は、ＤＶＤビデオフォーマットに従っており、前記再生制御情報は、プログラムチェーンの先頭で実行されるプリコマンドを含み、前記プリコマンドを参照して前記メニューを再生したとき、前記ランダム再生の場合は前記ランダム再生から前記通常再生に制御を切り換えることを特徴とする請求項３６ないし請求項３８のいずれかに記載の映像音声情報再生方法。
【請求項４０】
前記映像音声情報および前記再生制御情報は、ＤＶＤビデオフォーマットに従っており、前記再生制御情報は、プログラムチェーンの目標のセルに到達したとき実行されるセルコマンドを含み、前記セルコマンドを参照して前記メニューを再生したとき、前記ランダム再生の場合は前記ランダム再生から前記通常再生に制御を切り換えることを特徴とする請求項３６ないし請求項３９のいずれかに記載の映像音声情報再生方法。
【請求項４１】
前記映像音声情報および前記再生制御情報は、ＤＶＤビデオフォーマットに従っており、前記再生制御情報は、複数の選択項目にそれぞれ対応する複数のハイライトコマンドを含み、前記ハイライトコマンドを参照して前記メニューを再生したとき、前記ランダム再生の場合は前記ランダム再生から前記通常再生に制御を切り換えることを特徴とする請求項３６ないし請求項４０のいずれかに記載の映像音声情報再生方法。
【請求項４２】
前記映像音声情報および前記再生制御情報は、ＤＶＤオーディオフォーマットに従っており、前記再生制御情報は、複数の選択項目にそれぞれ対応する複数のハイライトコマンドを含み、前記ハイライトコマンドを参照して前記メニューを再生したとき、前記ランダム再生の場合は前記ランダム再生から前記通常再生に制御を切り換えることを特徴とする請求項３６ないし請求項４１のいずれかに記載の映像音声情報再生方法。
【発明の詳細な説明】
【０００１】
【発明の属する技術分野】
本発明は、少なくとも映像および音声のいずれかを含んだ複数のコンテンツとコンテンツを選択するためのメニューとを有した映像音声情報を再生する映像音声情報再生装置および映像音声再生方法に関し、特に、映像音声情報をコンテンツ単位にランダムな順序で再生することができる映像音声情報再生装置および映像音声再生方法に関する。
【０００２】
【従来の技術】
従来の映像音声情報再生装置の構成について図２２を用いて説明する。図２２において、光ディスク１０１は、映像および音声を含んだ複数のコンテンツとコンテンツを選択するためのメニューとを有した映像音声情報と、映像音声情報の再生順序を制御する命令を含む再生制御情報とを予め記録したものである。映像出力手段１１２は、映像を出力するものである。音声出力手段１１３は、音声を出力するものである。映像音声情報再生装置２２００は、光ディスク１０１に記録された映像音声情報と再生制御情報とを読み取って、映像出力手段１１２に映像信号を供給するとともに音声出力手段１１３に音声信号を供給するようになっており、読取手段１０２と、増幅手段１０３と、信号処理手段１０４と、映像音声情報記憶手段１０５と、復号手段１０６と、サーボ手段１０７と、読取制御手段１０８と、再生制御情報記憶手段２２０９と、再生制御手段２２１０と、操作手段１１１とを備える。読取手段１０２は、映像音声情報と再生制御情報とを光ディスク１０１から読み取る。増幅手段１０３は、読取手段１０２によって読み出された情報を増幅する。信号処理手段１０４は、増幅手段１０３によって増幅された情報に対し誤り訂正その他の信号処理を行う。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。サーボ手段１０７は、読取手段１０２の位置をフォーカス方向、トラッキング方向および半径方向に制御する。読取制御手段１０８は、読取手段１０２が光ディスク１０１の目的のアドレスに移動するようサーボ手段１０７に指示を与える。再生制御情報記憶手段２２０９は、信号処理手段１０４が出力した再生制御情報を記憶する。再生制御手段２２１０は、再生制御情報記憶手段２２０９に記憶された再生制御情報を参照して読取制御手段１０８に目的のアドレスを指示し、映像音声情報をコンテンツ単位に所定の順序で再生する通常再生と、映像音声情報をコンテンツ単位にランダムな順序で再生するランダム再生と、映像音声情報をそれぞれのコンテンツの先頭部分のみ一定時間ずつ再生するスキャン再生とを制御する。操作手段１１１は、映像音声情報の再生に関した操作を受け付けるようになっており、通常再生の開始を指示する通常再生キーと、ランダム再生の開始を指示するランダム再生キーと、スキャン再生の開始を指示するスキャン再生キーと、メニューが再生されたとき選択項目を選択する選択キーとを有する。
【０００３】
なお、コンテンツは、利用者が選択可能な単位の映像音声情報であり、例えば、１曲を単位とする楽曲の映像音声情報、１項目を単位とする紹介内容の映像音声情報、および、１場面を単位とする物語の映像音声情報である。以下、コンテンツは、１曲を単位とする楽曲の映像音声情報を例に説明する。また、コンテンツは、再生の基本単位であるセルに分割されて光ディスク１０１に記録されている。セルは、ＤＶＤフォーラムが策定したＤＶＤビデオフォーマットおよびＤＶＤオーディオフォーマットの場合、ＭＰＥＧ（Moving Picture Experts Group）が策定したＭＰＥＧ−２規格におけるオブジェクトを１つ以上含む。
【０００４】
また、メニューは、利用者がコンテンツを選択するための複数の選択項目を有し、映像出力手段１１２の画面上に表示される。選択項目は、図２２に示す映像音声情報再生装置２２００において、ボタンの形状で表示されるようになっており、また、操作手段１１１の選択キーを操作することによって選択されるようになっている。なお、メニューは、ＤＶＤフォーラムが策定したＤＶＤビデオフォーマットおよびＤＶＤオーディオフォーマットの場合、一般に、セルに格納されたハイライト情報（ＨＬＩ: Highlight Information）に再生の方法が記載されるようになっている。ハイライト情報は、一般に、選択項目が選択されたときにそれぞれ実行される複数のハイライトコマンドを有する。
【０００５】
また、再生制御情報は、映像音声情報の再生順序を制御する情報、例えば、メニューを再生するという指示や、異なるコンテンツへ直接ジャンプするという指示を含む。なお、再生制御情報は、ＤＶＤフォーラムが策定したＤＶＤビデオフォーマットおよびＤＶＤオーディオフォーマットの場合、セルの光ディスク１０１上のアドレスを記載したセル再生情報の列からなるプログラムチェーンに繋げられているか、あるいはセル自体に格納されている。
【０００６】
次に、通常再生、ランダム再生およびスキャン再生について、図２、図３および図４をそれぞれ用いて説明する。
【０００７】
図２２の映像音声情報再生装置２２００において、利用者が操作手段１１１の通常再生キーを押したとき、再生制御手段２２１０は、例えば図２に示すように通常の再生を制御する。図２において、光ディスク１０１には、第１曲の映像音声情報２１１、第２曲の映像音声情報２１２、第３曲の映像音声情報２１３、第４曲の映像音声情報２１４、第５曲の映像音声情報２１５、第６曲の映像音声情報２１６、および、第７曲の映像音声情報２１７が記録されおり、第１の移動２２１、第２の移動２２２、第３の移動２２３、第４の移動２２４、第５の移動２２５、第６の移動２２６、および、第７の移動２２７の順で、図２２の読取手段１０２が光ディスク１０１に近接して移動する。したがって、第１曲の映像音声情報２１１、第２曲の映像音声情報２１２、第３曲の映像音声情報２１３、第４曲の映像音声情報２１４、第５曲の映像音声情報２１５、第６曲の映像音声情報２１６、および、第７曲の映像音声情報２１７の順で再生が行われる。なお、再生する曲の順序は図２に示した順序に限るものではなく、利用者が操作手段１１１によって曲順を指定した場合には、利用者が指定した所定の曲順で再生されるようになっている。
【０００８】
また、図２２の映像音声情報再生装置２２００において、利用者が操作手段１１１のランダム再生キーを押したとき、再生制御手段２２１０は、例えば図３に示すようにランダム再生を制御する。図３において、第１の移動３２１、第２の移動３２２、第３の移動３２３、第４の移動３２４、第５の移動３２５、第６の移動３２６、および、第７の移動３２７の順で、図２２の読取手段１０２が光ディスク１０１に近接して移動する。なお、実線で表された第１の移動３２１、第３の移動３２３、第５の移動３２５、および、第７の移動３２７は、それぞれの曲の映像音声情報を再生している状態（再生状態という）での移動である。また、破線で表された第２の移動３２２、第４の移動３２４、および、第６の移動３２６は、それぞれ次曲に遷移する状態（アクセス状態という）での移動である。したがって、第４曲の映像音声情報２１４、第２曲の映像音声情報２１２、第５曲の映像音声情報２１５、および、第７曲の映像音声情報２１７の順で再生が行われる。なお、再生する曲の順序は図３に示した順序に限るものではなく、曲単位にランダムな順序で再生を行うようになっている。
【０００９】
また、図２２の映像音声情報再生装置２２００において、利用者が操作手段１１１のスキャン再生キーを押したとき、再生制御手段２２１０は、例えば図４に示すようにスキャン再生を制御する。図４において、第１の移動４２１、第２の移動４２２、第３の移動４２３、第４の移動４２４、第５の移動４２５、第６の移動４２６、および、第７の移動４２７の順で、図２２の読取手段１０２が光ディスク１０１に近接して移動する。なお、実線で表された第１の移動４２１、第３の移動４２３、第５の移動４２５、および、第７の移動４２７は、それぞれの曲の映像音声情報を再生している状態（再生状態という）での移動であり、曲単位にそれぞれの曲の先頭部分のみ一定時間ずつ映像音声情報を再生する。また、破線で表された第２の移動４２２、第４の移動４２４、および、第６の移動４２６は、次曲に遷移する状態（アクセス状態という）での移動である。したがって、第１曲の映像音声情報２１１、第２曲の映像音声情報２１２、第３曲の映像音声情報２１３、および、第４曲の映像音声情報２１４の順で、曲単位にそれぞれの曲の先頭部分のみ一定時間ずつ再生が行われる。なお、図４において、第７の移動４２７まで行い第４曲の映像音声２１４まで再生しているが、実際は、第５曲の映像音声情報２１５、第６曲の映像音声２１６および第７曲の映像音声情報２１７についても一定時間ずつ再生を行うようになっている。
【００１０】
次に、光ディスク１０１に記録された情報の構成について詳細に説明する。
【００１１】
図５は、ＤＶＤフォーラムが策定したＤＶＤビデオフォーマットで記録された情報の例を示す図である。図５において、プログラムチェーン（ＰＧＣ: Program Chain）５２０は、セル５１１、５１２、５１３、５１４、５１５および５１６の光ディスクにおけるアドレスをそれぞれ示すとともに、配列によってセルの再生順序を指定した複数のセル再生情報（Cell Playback Information）５２１、５２２、５２３、５２４、５２５および５２６と、プログラムチェーンの先頭で実行されるプリコマンド（Pre-Command）５３１と、目標のセルに到達したとき実行されるセルコマンド（Cell-Command）５３２と、プログラムチェーンの最後で実行されるポストコマンド（Post-Command）５３３と、次のプログラムチェーンを示すリンク関係情報（Link PGC）５４０からなる。
【００１２】
図５のプログラムチェーン５２０が、図２２の再生制御情報記憶手段２２０９に記憶される際、図６に示すように、プリコマンド５３１とセルコマンド５３２とポストコマンド５３３とが、コマンド格納領域６０１に格納され、セルの開始アドレスおよび終了アドレスを記載した複数のセル再生情報５２１、５２２、５２３、５２４、５２５および５２６が、セル再生情報格納領域６０２に格納され、リンク関係情報５４０が、リンク関係情報格納領域６０３に格納されるようになっている。
【００１３】
また、ＤＶＤビデオフォーマットにおけるセルの例を図７に示す。図７において、あるひとつのセルは、コンテンツの映像情報が圧縮して記録されたビデオパック７１１、７１５、７１７と、コンテンツを選択するためのメニューの映像情報、例えば画面上に表示するボタンの形状、が圧縮して記録されたサブピクチャーパック７１２、７１６と、コンテンツの映像情報と同期して再生するコンテンツの音声情報が圧縮して記録されたオーディオパック７１３と、プレゼンテーションの制御に関するプレゼンテーション制御情報（ＰＣＩ: Presentation Control Information）７２１およびデータサーチに関するデータ検索情報（ＤＳＩ: Data Search Information）７２２を含むナビゲーションパック７１４、７１８とから構成される。なお、プレゼンテーション制御情報７２１は、メニューが再生されその選択項目が選択されたときにそれぞれ実行される複数のハイライトコマンド７４１、７４２、７４３、７４４および７４５を有したハイライト情報７３１と、その他のコントロール情報７３２とを含む。
【００１４】
図８は、ＤＶＤフォーラムが策定したＤＶＤオーディオフォーマットで記録された情報の例を示す図である。図８において、プログラムチェーン（ＰＧＣ: Program Chain）８２０は、セル８１１、８１２、８１３、８１４、８１５および８１６の光ディスクにおけるアドレスをそれぞれ示すとともに、配列によってセルの再生順序を指定した複数のセル再生情報（Cell Playback Information）８２１、８２２、８２３、８２４、８２５および８２６からなる。リターンメニューフラグ８３０は、選択項目を有したメニューの再生を行うか否かを指示する情報である。
【００１５】
図８のプログラムチェーン８２０が、図２２の再生制御情報記憶手段２２０９に記憶される際、図９に示すように、セルの開始アドレスおよび終了アドレスを記載した複数のセル再生情報８２１、８２２、８２３、８２４、８２５および８２６が、セル再生情報格納領域９０２に格納される。また、リターンメニューフラグ８３０が、リターンメニューフラグ格納領域９０１に格納されるようになっている。なお、リターンメニューフラグ８３０は、グループ毎に、第１グループのリターンメニューフラグ９３１、第２グループのリターンメニューフラグ９３２および第３グループのリターンメニューフラグ９３３に分けて格納されるようになっている。
【００１６】
また、ＤＶＤオーディオフォーマットにおけるセルの例を図１０に示す。図１０において、静止画情報のセル１００１と音声情報のセル１００２とは、光ディスク上の異なる領域に記録されている。静止画情報のセル１００１は、静止画情報が圧縮して記録されたビデオパック１０１１と、コンテンツを選択するためのメニューの映像情報、例えば画面上に表示するボタンの形状、が圧縮して記録されたサブピクチャーパック１０１２と、ハイライト情報１０３１およびその他のコントロール情報１０３２を含むハイライトパック１０１３とから構成される。ハイライト情報１０３１は、メニューが再生され選択項目が選択されたときにそれぞれ実行される複数のハイライトコマンド１０４１、１０４２、１０４３、１０４４および１０４５を有する。
【００１７】
以下、再生制御手段２２１０が行う再生制御処理について詳細に説明する。
【００１８】
まず、図５のＤＶＤビデオフォーマットで記録された映像音声情報を再生する場合について説明する。図２３は、ＤＶＤビデオフォーマットの場合の再生制御処理を示すフローチャートである。図２４は、再生制御処理におけるキー入力イベント処理（図２３の２３０３）の詳細を示すフローチャートである。図１３は、再生制御処理におけるランダム選曲処理（図２３の２３０６）の詳細を示すフローチャートである。図１４は、再生制御処理におけるスキャン選曲処理（図２３の２３０８）の詳細を示すフローチャートである。
【００１９】
図２３において、まず、再生制御情報を取得する（２３０１）。ここで、図５のプリコマンド５３１と、セルコマンド５３２と、ポストコマンド５３３とが、図２２の再生制御情報記憶手段２２０９に記憶される。また、図７のナビゲーションパック７１４に格納されていたハイライトコマンド７４１、７４２、７４３、７４４、７５５が、図２２の再生制御情報記憶手段２２０９に記憶される。
【００２０】
次に、イベントの発生を待つ（２３０２）。
【００２１】
利用者が図２２の操作手段１１１においてランダム再生に制御を切り換えるランダム再生キーを押した場合、操作手段１１１からランダム再生キーの押下が通知され、キーの種別に対応した処理を実行する（２３０３）。図２４において、ランダム再生キーに対応した処理に分岐し（２４０１）、ランダム再生をオンの状態にし（２４０２）、スキャン再生をオフの状態にする（２４０３）。
【００２２】
また、利用者が図２２の操作手段１１１においてスキャン再生に制御を切り換えるスキャン再生キーを押した場合、操作手段１１１からスキャン再生キーの押下が通知され、キーの種別に対応した処理を実行する（２３０３）。図２４において、スキャン再生キーに対応した処理に分岐し、スキャン再生をオンの状態にし（２４０４）、ランダム再生をオフの状態にする（２４０５）。
【００２３】
また、利用者が図２２の操作手段１１１において通常再生に制御を切り換える通常再生キーを押した場合、操作手段１１１から通常再生キーの押下が通知され、キーの種別に対応した処理を実行する（２３０３）。図２４において、通常再生キーに対応した処理に分岐し、ランダム再生をオフの状態にし（２４０６）、スキャン再生をオフの状態にする（２４０７）。
【００２４】
また、プログラムチェーン先頭のセル５１１の再生を開始する直前にプログラムチェーン先頭イベントが発生する。プログラムチェーン先頭イベントが発生したとき、再生制御情報記憶手段２２０９に記憶されたプリコマンドを参照して実行する（２３１１）。
【００２５】
また、図５の第１のセル再生情報５２１、第２のセル再生情報５２２および第３のセル再生情報５２３に基づいて、第１のセル５１１、第２のセル５１２、第３のセル５１３の順にそれぞれ映像音声情報の再生が行われ、目標セルに到達した時点で、目標セル到達イベントが発生する。目標セル到達イベントが発生したとき、映像音声情報の再生を停止し（２３２１）、再生制御情報記憶手段１０９に記憶されたセルコマンドを参照して実行し（２３２２）し、映像音声情報の再生を再開する（２３２３）。
【００２６】
また、図５の第４のセル再生情報５２４、第５のセル再生情報５２５および第６のセル再生情報５２６に基づいて、第４のセル５１４、第５のセル５１５、第６のセル５１６の順にそれぞれ映像音声情報の再生が行われ、第６のセル５１６の再生が終了した時点で、プログラムチェーン終了イベントが発生する。プログラムチェーン終了イベントが発生したとき、再生制御情報記憶手段２２０９に記憶されたポストコマンドに従った処理を実行し（２３３１）、図５のリンク関係情報５４０を参照して次のプログラムチェーンを特定し（２３３２）、次のプログラムチェーンに関する情報を取得する（２３３３）。
【００２７】
なお、プリコマンド、セルコマンドおよびポストコマンドのいずれかがメニューを再生するという命令であった場合には、メニューが再生される。メニューが再生された状態で、利用者が図２２の操作手段１１１の選択キーによってメニュー上の選択項目を選択した場合、図２２の操作手段１１１から選択キーの操作が通知されて、キーの種別に対応した処理を実行する（２３０３）。図２４において、選択キーに対応した処理に分岐し、ハイライト情報があるか否か判定し（２４１１）、ハイライト情報があった場合、ハイライト情報のハイライトコマンドに従った処理を実行する（２４１２）。
【００２８】
また、曲の再生が終了した時点で、１曲毎に曲終了イベントが発生し、ランダム再生であるか否かを判定する（２３０５）。ランダム再生である場合、次の曲をランダムに選曲する（２３０６）。詳細には、図１３において、乱数を発生し（１３０１）、光ディスクの範囲内であるか否かを判定し（１３０２）、ランダムに選曲した曲の先頭に目的アドレスを変更する（１３０３）。
【００２９】
また、所定の単位時間（例えば１秒）が経過する毎に単位時間経過イベントが発生し、スキャン再生であるか否かを判定する（２３０７）。スキャン再生である場合、次の曲をスキャンして選曲する（２３０８）。詳細には、図１４において、曲の再生開始から予め決められた一定時間（例えば１０秒）が経過したか否か判定し（１４０１）、一定時間経過した場合、スキャンして新たに選曲した曲の先頭に目的アドレスを変更する（１４０２）。
【００３０】
次に、図８のＤＶＤオーディオフォーマットで記録された情報を再生する場合について説明する。図２５は、ＤＶＤオーディオフォーマットの場合の再生制御処理を示すフローチャートである。なお、図２５において、図２３に示したＤＶＤビデオフォーマットの場合と同じステップは、同じ符号としてあり、詳細な説明を省略する。
【００３１】
ＤＶＤオーディオフォーマットの場合、図２５の情報取得のステップ（２３０１、２３０４および２３３３）において、図８のリターンメニューフラグ８３０が図２２の再生制御情報記憶手段２２０９に記憶される。なお、ＤＶＤビデオフォーマットと異なり、プログラムチェーンにプリコマンド、セルコマンドおよびポストコマンドは存在しない。したがって、プログラム先頭イベントは何も行わない。また、目標セル到達イベントは発生しない。また、プログラムチェーン終了イベントが発生してもポストコマンドの処理は行わず、代わりに、リターンメニューフラグに従った処理を行う。
【００３２】
プログラムチェーン終了イベントが発生したとき、再生制御情報記憶手段２２０９に記憶されたリターンメニューフラグ８３０を参照してリターンメニューフラグがセットされているときには、戻りのメニューを再生し（２５３１）、次のプログラムチェーンに関する情報を取得する（２３３３）。
【００３３】
以上説明したように、従来の映像音声情報再生装置は、利用者によって操作手段１１１のランダム再生キーが操作されたとき、映像音声情報をコンテンツ単位に所定の順序で再生する通常再生から、映像音声情報をコンテンツ単位にランダムな順序で再生するランダム再生に制御を切り換えるようになっていた。また、従来の映像音声情報再生装置は、利用者によって操作手段１１１のスキャン再生キーが操作されたとき、映像音声情報をコンテンツ単位に所定の順序で再生する通常再生から、映像音声情報をそれぞれのコンテンツの先頭部分のみ一定時間ずつ再生するスキャン再生に制御を切り換えるようになっていた。さらに、従来の映像音声情報再生装置は、映像音声情報とともに光ディスク１０１に記録された再生制御情報にメニューを再生するという命令が記録されている場合、所定の再生地点において、本編であるコンテンツの映像からメニューの映像に切り換え、さらに、利用者によって操作手段１１１の選択キーが操作されたとき、選択されたコンテンツを再生するようになっていた。
【００３４】
【発明が解決しようとする課題】
しかしながら、従来の映像音声情報再生装置は、ランダム再生中にメニューが再生されたとき、コンテンツの映像からメニューの映像に切り換わり、一般にメニューの再生によってコンテンツの再生が停止してしまい、また、メニューにおいて利用者はコンテンツを選択しなければならず、ランダム再生が解除されていないにも関わらずランダムに再生が行われないという再生状態の不一致が発生する問題があった。
【００３５】
本発明は、このような問題を解決するためになされたもので、再生状態の不一致を解消し、利用者に違和感を与えることなくランダム再生をすることができる映像音声情報再生装置および映像音声情報再生方法を提供する。
【００３６】
【課題を解決するための手段】
本発明の映像音声情報再生装置は、少なくとも映像および音声のいずれかを含んだ複数のコンテンツと前記コンテンツを選択するためのメニューとを有した映像音声情報と、前記映像音声情報の再生順序を制御する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記通常再生の場合は前記再生制御情報記憶手段に記憶された前記命令を参照して実行し、前記ランダム再生の場合は前記再生制御情報記憶手段に記憶された前記命令を無効とする構成を有している。
【００３７】
この構成により、ランダム再生中にコンテンツの映像からメニューの映像に切り換わることがなく、したがって再生状態の不一致が解消され、利用者に違和感を与えないようにすることができる。
【００３８】
また、本発明の映像音声情報再生装置は、前記映像音声情報および前記再生制御情報は、ＤＶＤオーディオフォーマットに従っており、前記再生制御情報は、前記メニューの再生を指示するフラグを含み、前記再生制御手段が、前記通常再生の場合は前記フラグを参照して前記メニューを再生し、前記ランダム再生の場合は前記フラグを無効とする構成を有している。
【００３９】
この構成により、メニューの再生を指示するフラグが映像音声情報とともに記録されている場合であっても、再生状態の不一致が解消され、利用者に違和感を与えないようにすることができる。
【００４０】
また、本発明の映像音声情報再生装置は、前記映像音声情報および前記再生制御情報は、ＤＶＤビデオフォーマットに従っており、前記再生制御情報は、プログラムチェーンの最後で実行されるポストコマンドを含み、前記再生制御手段が、前記通常再生の場合は前記ポストコマンドを参照して実行し、前記ランダム再生の場合は前記ポストコマンドを無効とする構成を有している。
【００４１】
この構成により、プログラムチェーンの最後で実行されるポストコマンドがメニューの再生を指示する命令であっても、再生状態の不一致が解消され、利用者に違和感を与えないようにすることができる。
【００４２】
また、本発明の映像音声情報再生装置は、前記映像音声情報および前記再生制御情報は、ＤＶＤビデオフォーマットに従っており、前記再生制御情報は、プログラムチェーンの先頭で実行されるプリコマンドを含み、前記再生制御手段が、前記通常再生の場合は前記プリコマンドを参照して実行し、前記ランダム再生の場合は前記プリコマンドを無効とする構成を有している。
【００４３】
この構成により、プログラムチェーンの先頭で実行されるプリコマンドがメニューの再生を指示する命令であっても、再生状態の不一致が解消され、利用者に違和感を与えないようにすることができる。
【００４４】
また、本発明の映像音声情報再生装置は、前記映像音声情報および前記再生制御情報は、ＤＶＤビデオフォーマットに従っており、前記再生制御情報は、プログラムチェーンの目標のセルに到達したとき実行されるセルコマンドを含み、前記再生制御手段が、前記通常再生の場合は前記セルコマンドを参照して実行し、前記ランダム再生の場合は前記セルコマンドを無効とする構成を有している。
【００４５】
この構成により、プログラムチェーンの目標のセルに到達したとき実行されるセルコマンドがメニューの再生を指示する命令であっても、再生状態の不一致が解消され、利用者に違和感を与えないようにすることができる。
【００４６】
また、本発明の映像音声情報再生装置は、前記映像音声情報および前記再生制御情報は、ＤＶＤビデオフォーマットに従っており、前記再生制御情報は、前記メニューが有した複数の選択項目にそれぞれ対応する複数のハイライトコマンドを含み、前記再生制御手段が、前記通常再生の場合は前記操作手段によって選択された選択項目に対応する前記ハイライトコマンドを参照して実行し、前記ランダム再生の場合は前記ハイライトコマンドを無効とする構成を有している。また、本発明の映像音声情報再生装置は、前記映像音声情報および前記再生制御情報は、ＤＶＤオーディオフォーマットに従っており、前記再生制御情報は、前記メニューが有した複数の選択項目にそれぞれ対応する複数のハイライトコマンドを含み、前記再生制御手段が、前記通常再生の場合は前記操作手段によって選択された選択項目に対応する前記ハイライトコマンドを参照して実行し、前記ランダム再生の場合は前記ハイライトコマンドを無効とする構成を有している。
【００４７】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【００４８】
本発明の映像音声情報再生装置は、少なくとも映像および音声のいずれかを含んだ複数のコンテンツと前記コンテンツを選択するためのメニューとを有した映像音声情報と、前記映像音声情報の再生順序を制御する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御情報記憶手段に前記命令が記憶されているとき、前記再生制御手段が、前記ランダム再生の場合は前記ランダム再生から前記通常再生に制御を切り換える構成を有している。
【００４９】
この構成により、メニューの映像に切り換わったときにコンテンツの再生が停止するような場合であっても、ランダム再生が解除されて再生状態の不一致が解消され、したがって利用者に違和感を与えないようにすることができる。
【００５０】
また、本発明の映像音声情報再生装置は、前記映像音声情報および前記再生制御情報は、ＤＶＤオーディオフォーマットに従っており、前記再生制御情報は、前記メニューの再生を指示するフラグを含み、前記再生制御情報記憶手段に前記フラグが記憶されているとき、前記再生制御手段が、前記ランダム再生の場合は前記ランダム再生から前記通常再生に制御を切り換える構成を有している。
【００５１】
この構成により、メニューの再生を指示するフラグが映像音声情報とともに記録されている場合であっても、再生状態の不一致が解消され、利用者に違和感を与えないようにすることができる。
【００５２】
また、本発明の映像音声情報再生装置は、前記映像音声情報および前記再生制御情報は、ＤＶＤビデオフォーマットに従っており、前記再生制御情報は、プログラムチェーンの最後で実行されるポストコマンドを含み、前記再生制御情報記憶手段に前記ポストコマンドが記憶されているとき、前記再生制御手段が、前記ランダム再生の場合は前記ランダム再生から前記通常再生に制御を切り換える構成を有している。
【００５３】
この構成により、プログラムチェーンの最後で実行されるポストコマンドがメニューの再生を指示する命令であっても、再生状態の不一致が解消され、利用者に違和感を与えないようにすることができる。
【００５４】
また、本発明の映像音声情報再生装置は、前記映像音声情報および前記再生制御情報は、ＤＶＤビデオフォーマットに従っており、前記再生制御情報は、プログラムチェーンの先頭で実行されるプリコマンドを含み、前記再生制御情報記憶手段に前記プリコマンドが記憶されているとき、前記再生制御手段が、前記ランダム再生の場合は前記ランダム再生から前記通常再生に制御を切り換える構成を有している。
【００５５】
この構成により、プログラムチェーンの先頭で実行されるプリコマンドがメニューの再生を指示する命令であっても、再生状態の不一致が解消され、利用者に違和感を与えないようにすることができる。
【００５６】
また、本発明の映像音声情報再生装置は、前記映像音声情報および前記再生制御情報は、ＤＶＤビデオフォーマットに従っており、前記再生制御情報は、プログラムチェーンの目標のセルに到達したとき実行されるセルコマンドを含み、前記再生制御情報記憶手段に前記セルコマンドが記憶されているとき、前記再生制御手段が、前記ランダム再生の場合は前記ランダム再生から前記通常再生に制御を切り換える構成を有している。
【００５７】
この構成により、プログラムチェーンの目標のセルに到達したとき実行されるセルコマンドがメニューの再生を指示する命令であっても、再生状態の不一致が解消され、利用者に違和感を与えないようにすることができる。
【００５８】
また、本発明の映像音声情報再生装置は、前記映像音声情報および前記再生制御情報は、ＤＶＤビデオフォーマットに従っており、前記再生制御情報は、複数の選択項目にそれぞれ対応する複数のハイライトコマンドを含み、前記再生制御情報記憶手段に前記ハイライトコマンドが記憶されているとき、前記再生制御手段が、前記ランダム再生の場合は前記ランダム再生から前記通常再生に制御を切り換える構成を有している。また、本発明の映像音声情報再生装置は、前記映像音声情報および前記再生制御情報は、ＤＶＤオーディオフォーマットに従っており、前記再生制御情報は、複数の選択項目にそれぞれ対応する複数のハイライトコマンドを含み、前記再生制御情報記憶手段に前記ハイライトコマンドが記憶されているとき、前記再生制御手段が、前記ランダム再生の場合は前記ランダム再生から前記通常再生に制御を切り換える構成を有している。
【００５９】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【００６０】
また、本発明の映像音声情報再生装置は、少なくとも映像および音声のいずれかを含んだ複数のコンテンツと前記コンテンツを選択するためのメニューとを有した映像音声情報と、前記メニューを再生する命令を含む再生制御情報とを媒体から読み取る読取手段と、前記読取手段を前記媒体の目的のアドレスに移動させる読取制御手段と、前記映像音声情報を復号する復号手段と、前記再生制御情報を記憶する再生制御情報記憶手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記再生制御情報記憶手段に記憶された前記命令を参照して前記メニューを再生したとき、前記ランダム再生の場合は前記ランダム再生から前記通常再生に制御を切り換える構成を有している。
【００６１】
この構成により、メニューの映像に切り換わったときにコンテンツの再生が停止するような場合であっても、ランダム再生が解除されて再生状態の不一致が解消され、したがって利用者に違和感を与えることがないようにすることができる。また、メニューの映像に切り換らない場合には、ランダム再生が継続され、したがって利用者に違和感を与えないようにすることができる。
【００６２】
また、本発明の映像音声情報再生装置は、前記映像音声情報および前記再生制御情報は、ＤＶＤオーディオフォーマットに従っており、前記再生制御情報は、前記メニューの再生を指示するフラグを含み、前記再生制御手段が、前記フラグを参照して前記メニューを再生したとき、前記ランダム再生の場合は前記ランダム再生から前記通常再生に制御を切り換える構成を有している。
【００６３】
この構成により、メニューの再生を指示するフラグが映像音声情報とともに記録されている場合であっても、再生状態の不一致が解消され、利用者に違和感を与えないようにすることができる。
【００６４】
また、本発明の映像音声情報再生装置は、前記映像音声情報および前記再生制御情報は、ＤＶＤビデオフォーマットに従っており、前記再生制御情報は、プログラムチェーンの最後で実行されるポストコマンドを含み、前記再生制御手段が、前記ポストコマンドを参照して前記メニューを再生したとき、前記ランダム再生から前記通常再生に制御を切り換える構成を有している。
【００６５】
この構成により、プログラムチェーンの最後で実行されるポストコマンドがメニューの再生を指示する命令であっても、再生状態の不一致が解消され、利用者に違和感を与えないようにすることができる。
【００６６】
また、本発明の映像音声情報再生装置は、前記映像音声情報および前記再生制御情報は、ＤＶＤビデオフォーマットに従っており、前記再生制御情報は、プログラムチェーンの先頭で実行されるプリコマンドを含み、前記再生制御手段が、前記プリコマンドを参照して前記メニューを再生したとき、前記ランダム再生の場合は前記ランダム再生から前記通常再生に制御を切り換える構成を有している。
【００６７】
この構成により、プログラムチェーンの先頭で実行されるプリコマンドがメニューの再生を指示する命令であっても、再生状態の不一致が解消され、利用者に違和感を与えないようにすることができる。
【００６８】
また、本発明の映像音声情報再生装置は、前記映像音声情報および前記再生制御情報は、ＤＶＤビデオフォーマットに従っており、前記再生制御情報は、プログラムチェーンの目標のセルに到達したとき実行されるセルコマンドを含み、前記再生制御手段が、前記セルコマンドを参照して前記メニューを再生したとき、前記ランダム再生の場合は前記ランダム再生から前記通常再生に制御を切り換える構成を有している。
【００６９】
この構成により、プログラムチェーンの目標のセルに到達したとき実行されるセルコマンドがメニューの再生を指示する命令であっても、再生状態の不一致が解消され、利用者に違和感を与えないようにすることができる。
【００７０】
また、本発明の映像音声情報再生装置は、前記映像音声情報および前記再生制御情報は、ＤＶＤビデオフォーマットに従っており、前記再生制御情報は、複数の選択項目にそれぞれ対応する複数のハイライトコマンドを含み、前記再生制御手段が、前記ハイライトコマンドを参照して前記メニューを再生したとき、前記ランダム再生の場合は前記ランダム再生から前記通常再生に制御を切り換える構成を有している。また、本発明の映像音声情報再生装置は、前記映像音声情報および前記再生制御情報は、ＤＶＤオーディオフォーマットに従っており、前記再生制御情報は、複数の選択項目にそれぞれ対応する複数のハイライトコマンドを含み、前記再生制御手段が、前記ハイライトコマンドを参照して前記メニューを再生したとき、前記ランダム再生の場合は前記ランダム再生から前記通常再生に制御を切り換える構成を有している。
【００７１】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【００７２】
本発明の映像音声情報再生方法は、映像音声情報の再生順序を制御する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記通常再生の場合は記憶された前記命令を参照して実行するステップと、前記ランダム再生の場合は前記命令を無効とするステップとを備えた構成を有している。
【００７３】
この構成により、ランダム再生中にコンテンツの映像からメニューの映像に切り換わることがなく、したがって再生状態の不一致が解消され、利用者に違和感を与えないようにすることができる。
【００７４】
また、本発明の映像音声情報再生方法は、前記映像音声情報および前記再生制御情報は、ＤＶＤオーディオフォーマットに従っており、前記再生制御情報は、選択項目を有したメニューの再生を指示するフラグを含み、前記通常再生の場合は前記フラグを参照して前記メニューを再生し、前記ランダム再生の場合は前記フラグを無効とする構成を有している。
【００７５】
この構成により、メニューの再生を指示するフラグが映像音声情報とともに記録されている場合であっても、再生状態の不一致が解消され、利用者に違和感を与えないようにすることができる。
【００７６】
また、本発明の映像音声情報再生方法は、前記映像音声情報および前記再生制御情報は、ＤＶＤビデオフォーマットに従っており、前記再生制御情報は、プログラムチェーンの最後で実行されるポストコマンドを含み、前記通常再生の場合は前記ポストコマンドを参照して実行し、前記ランダム再生の場合は前記ポストコマンドを無効とする構成を有している。
【００７７】
この構成により、プログラムチェーンの最後で実行されるポストコマンドがメニューの再生を指示する命令であっても、再生状態の不一致が解消され、利用者に違和感を与えないようにすることができる。
【００７８】
また、本発明の映像音声情報再生方法は、前記映像音声情報および前記再生制御情報は、ＤＶＤビデオフォーマットに従っており、前記再生制御情報は、プログラムチェーンの先頭で実行されるプリコマンドを含み、前記通常再生の場合は前記プリコマンドを参照して実行し、前記ランダム再生の場合は前記プリコマンドを無効とする構成を有している。
【００７９】
この構成により、プログラムチェーンの先頭で実行されるプリコマンドがメニューの再生を指示する命令であっても、再生状態の不一致が解消され、利用者に違和感を与えないようにすることができる。
【００８０】
また、本発明の映像音声情報再生方法は、前記映像音声情報および前記再生制御情報は、ＤＶＤビデオフォーマットに従っており、前記再生制御情報は、プログラムチェーンの目標のセルに到達したとき実行されるセルコマンドを含み、前記通常再生の場合は前記セルコマンドを参照して実行し、前記ランダム再生の場合は前記セルコマンドを無効とする構成を有している。
【００８１】
この構成により、プログラムチェーンの目標のセルに到達したとき実行されるセルコマンドがメニューの再生を指示する命令であっても、再生状態の不一致が解消され、利用者に違和感を与えないようにすることができる。
【００８２】
また、本発明の映像音声情報再生方法は、前記映像音声情報および前記再生制御情報は、ＤＶＤビデオフォーマットに従っており、前記再生制御情報は、複数の選択項目にそれぞれ対応する複数のハイライトコマンドを含み、前記通常再生の場合は前記ハイライトコマンドを参照して実行し、前記ランダム再生の場合は前記ハイライトコマンドを無効とする構成を有している。また、本発明の映像音声情報再生方法は、前記映像音声情報および前記再生制御情報は、ＤＶＤオーディオフォーマットに従っており、前記再生制御情報は、複数の選択項目にそれぞれ対応する複数のハイライトコマンドを含み、前記通常再生の場合は前記ハイライトコマンドを参照して実行し、前記ランダム再生の場合は前記ハイライトコマンドを無効とする構成を有している。
【００８３】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【００８４】
また、本発明の映像音声情報再生方法は、映像音声情報の再生順序を制御する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記命令が前記記憶されているとき、前記ランダム再生の場合は前記ランダム再生から前記通常再生に制御を切り換えるステップとを備えた構成を有している。
【００８５】
この構成により、メニューの映像に切り換わったときにコンテンツの再生が停止するような場合であっても、ランダム再生が解除されて再生状態の不一致が解消され、したがって利用者に違和感を与えないようにすることができる。
【００８６】
また、本発明の映像音声情報再生方法は、前記映像音声情報および前記再生制御情報は、ＤＶＤオーディオフォーマットに従っており、前記再生制御情報は、選択項目を有したメニューの再生を指示するフラグを含み、前記フラグが記憶されているとき、前記ランダム再生の場合は前記ランダム再生から前記通常再生に制御を切り換える構成を有している。
【００８７】
この構成により、メニューの再生を指示するフラグが映像音声情報とともに記録されている場合であっても、再生状態の不一致が解消され、利用者に違和感を与えないようにすることができる。
【００８８】
また、本発明の映像音声情報再生方法は、前記映像音声情報および前記再生制御情報は、ＤＶＤビデオフォーマットに従っており、前記再生制御情報は、プログラムチェーンの最後で実行されるポストコマンドを含み、前記ポストコマンドが前記記憶されているとき、前記ランダム再生の場合は前記ランダム再生から前記通常再生に制御を切り換える構成を有している。
【００８９】
この構成により、プログラムチェーンの最後で実行されるポストコマンドがメニューの再生を指示する命令であっても、再生状態の不一致が解消され、利用者に違和感を与えないようにすることができる。
【００９０】
また、本発明の映像音声情報再生方法は、前記映像音声情報および前記再生制御情報は、ＤＶＤビデオフォーマットに従っており、前記再生制御情報は、プログラムチェーンの先頭で実行されるプリコマンドを含み、前記プリコマンドが前記記憶されているとき、前記ランダム再生の場合は前記ランダム再生から前記通常再生に制御を切り換える構成を有している。
【００９１】
この構成により、プログラムチェーンの先頭で実行されるプリコマンドがメニューの再生を指示する命令であっても、再生状態の不一致が解消され、利用者に違和感を与えないようにすることができる。
【００９２】
また、本発明の映像音声情報再生方法は、前記映像音声情報および前記再生制御情報は、ＤＶＤビデオフォーマットに従っており、前記再生制御情報は、プログラムチェーンの目標のセルに到達したとき実行されるセルコマンドを含み、前記セルコマンドが前記記憶されているとき、前記ランダム再生の場合は前記ランダム再生から前記通常再生に制御を切り換える構成を有している。
【００９３】
この構成により、プログラムチェーンの目標のセルに到達したとき実行されるセルコマンドがメニューの再生を指示する命令であっても、再生状態の不一致が解消され、利用者に違和感を与えないようにすることができる。
【００９４】
また、本発明の映像音声情報再生方法は、前記映像音声情報および前記再生制御情報は、ＤＶＤビデオフォーマットに従っており、前記再生制御情報は、複数の選択項目にそれぞれ対応する複数のハイライトコマンドを含み、前記ハイライトコマンドが前記記憶されているとき、前記ランダム再生の場合は前記ランダム再生から前記通常再生に制御を切り換える構成を有している。また、本発明の映像音声情報再生方法は、前記映像音声情報および前記再生制御情報は、ＤＶＤオーディオフォーマットに従っており、前記再生制御情報は、複数の選択項目にそれぞれ対応する複数のハイライトコマンドを含み、前記ハイライトコマンドが前記記憶されているとき、前記ランダム再生の場合は前記ランダム再生から前記通常再生に制御を切り換える構成を有している。
【００９５】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【００９６】
また、本発明の映像音声情報再生方法は、映像音声情報を選択するためのメニューを再生する命令を含む再生制御情報を記憶するステップと、前記映像音声情報をコンテンツ単位に所定の順序で再生する通常再生と前記映像音声情報をコンテンツ単位にランダムな順序で再生するランダム再生との切り換えを行うステップと、前記命令を参照して前記メニューを再生するステップと、前記メニューを再生するとき、前記ランダム再生の場合は前記ランダム再生から前記通常再生に制御を切り換えるステップとを備えた構成を有している。
【００９７】
この構成により、メニューの映像に切り換わったときにコンテンツの再生が停止するような場合であっても、ランダム再生が解除されて再生状態の不一致が解消され、したがって利用者に違和感を与えることがないようにすることができる。また、メニューの映像に切り換らない場合には、ランダム再生が継続され、したがって利用者に違和感を与えないようにすることができる。
【００９８】
また、本発明の映像音声情報再生方法は、前記映像音声情報および前記再生制御情報は、ＤＶＤオーディオフォーマットに従っており、前記再生制御情報は、前記メニューの再生を指示するフラグを含み、前記フラグを参照して前記メニューを再生したとき、前記ランダム再生の場合は前記ランダム再生から前記通常再生に制御を切り換える構成を有している。
【００９９】
この構成により、メニューの再生を指示するフラグが映像音声情報とともに記録されている場合であっても、再生状態の不一致が解消され、利用者に違和感を与えないようにすることができる。
【０１００】
また、本発明の映像音声情報再生方法は、前記映像音声情報および前記再生制御情報は、ＤＶＤビデオフォーマットに従っており、前記再生制御情報は、プログラムチェーンの最後で実行されるポストコマンドを含み、前記ポストコマンドを参照して前記メニューを再生したとき、前記ランダム再生の場合は前記ランダム再生から前記通常再生に制御を切り換える構成を有している。
【０１０１】
この構成により、プログラムチェーンの最後で実行されるポストコマンドがメニューの再生を指示する命令であっても、再生状態の不一致が解消され、利用者に違和感を与えないようにすることができる。
【０１０２】
また、本発明の映像音声情報再生方法は、前記映像音声情報および前記再生制御情報は、ＤＶＤビデオフォーマットに従っており、前記再生制御情報は、プログラムチェーンの先頭で実行されるプリコマンドを含み、前記プリコマンドを参照して前記メニューを再生したとき、前記ランダム再生の場合は前記ランダム再生から前記通常再生に制御を切り換える構成を有している。
【０１０３】
この構成により、プログラムチェーンの先頭で実行されるプリコマンドがメニューの再生を指示する命令であっても、再生状態の不一致が解消され、利用者に違和感を与えないようにすることができる。
【０１０４】
また、本発明の映像音声情報再生方法は、前記映像音声情報および前記再生制御情報は、ＤＶＤビデオフォーマットに従っており、前記再生制御情報は、プログラムチェーンの目標のセルに到達したとき実行されるセルコマンドを含み、前記セルコマンドを参照して前記メニューを再生したとき、前記ランダム再生の場合は前記ランダム再生から前記通常再生に制御を切り換える構成を有している。
【０１０５】
この構成により、プログラムチェーンの目標のセルに到達したとき実行されるセルコマンドがメニューの再生を指示する命令であっても、再生状態の不一致が解消され、利用者に違和感を与えないようにすることができる。
【０１０６】
また、本発明の映像音声情報再生方法は、前記映像音声情報および前記再生制御情報は、ＤＶＤビデオフォーマットに従っており、前記再生制御情報は、複数の選択項目にそれぞれ対応する複数のハイライトコマンドを含み、前記ハイライトコマンドを参照して前記メニューを再生したとき、前記ランダム再生の場合は前記ランダム再生から前記通常再生に制御を切り換える構成を有している。また、本発明の映像音声情報再生方法は、前記映像音声情報および前記再生制御情報は、ＤＶＤオーディオフォーマットに従っており、前記再生制御情報は、複数の選択項目にそれぞれ対応する複数のハイライトコマンドを含み、前記ハイライトコマンドを参照して前記メニューを再生したとき、前記ランダム再生の場合は前記ランダム再生から前記通常再生に制御を切り換える構成を有している。
【０１０７】
この構成により、メニューが有した複数の選択項目にそれぞれ対応する複数のハイライトコマンドがメニューの再生を指示する命令であっても、再生状態の不一致が解消され、利用者に違和感を与えないようにすることができる。
【０１０８】
【発明の実施の形態】
以下、本発明の実施の形態について、図面を用いて説明する。
【０１０９】
（第１の実施の形態）
第１の実施の形態における映像音声情報再生装置の構成について、図１を用いて説明する。図１において、光ディスク１０１は、映像および音声を含んだ複数のコンテンツとコンテンツを選択するためのメニューとを有した映像音声情報と、映像音声情報の再生順序を制御する命令を含む再生制御情報とを予め記録したものである。映像出力手段１１２は、映像を出力するものである。音声出力手段１１３は、音声を出力するものである。映像音声情報再生装置１００は、光ディスク１０１に記録された映像音声情報と再生制御情報とを読み取って、映像出力手段１１２に映像信号を供給するとともに音声出力手段１１３に音声信号を供給するようになっており、読取手段１０２と、増幅手段１０３と、信号処理手段１０４と、映像音声情報記憶手段１０５と、復号手段１０６と、サーボ手段１０７と、読取制御手段１０８と、再生制御情報記憶手段１０９と、再生制御手段１１０と、操作手段１１１とを備える。読取手段１０２は、映像音声情報と再生制御情報とを光ディスク１０１から読み取る。増幅手段１０３は、読取手段１０２によって読み出された情報を増幅する。信号処理手段１０４は、増幅手段１０３によって増幅された情報に対し誤り訂正その他の信号処理を行う。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。サーボ手段１０７は、読取手段１０２の位置をフォーカス方向、トラッキング方向および半径方向に制御する。読取制御手段１０８は、読取手段１０２が光ディスク１０１の目的のアドレスに移動するようサーボ手段１０７に指示を与える。再生制御情報記憶手段１０９は、信号処理手段１０４が出力した再生制御情報を記憶する。再生制御手段１１０は、再生制御情報記憶手段１０９に記憶された再生制御情報を参照して読取制御手段１０８に目的のアドレスを指示し、映像音声情報をコンテンツ単位に所定の順序で再生する通常再生と、映像音声情報をコンテンツ単位にランダムな順序で再生するランダム再生と、映像音声情報をそれぞれのコンテンツの先頭部分のみ一定時間ずつ再生するスキャン再生とを制御する。操作手段１１１は、映像音声情報の再生に関した操作を受け付けるようになっており、通常再生の開始を指示する通常再生キーと、ランダム再生の開始を指示するランダム再生キーと、スキャン再生の開始を指示するスキャン再生キーと、メニューが再生されたとき選択項目を選択する選択キーとを有する。
【０１１０】
また、第１の実施の形態の映像音声情報再生装置１００は、従来の映像音声情報再生装置と異なり、再生制御手段１１０が、通常再生の場合は映像音声情報の再生順序を制御する命令を参照して実行し、ランダム再生の場合は映像音声情報の再生順序を制御する命令を無効とするようになっている。また、従来の映像音声情報再生装置と異なり、再生制御手段１１０が、通常再生の場合は映像音声情報の再生順序を制御する命令を参照して実行し、スキャン再生の場合は映像音声情報の再生順序を制御する命令を無効とするようになっている。
【０１１１】
次に、第１の実施の形態における映像音声情報再生装置１００の動作について説明する。
【０１１２】
図１において、読取手段１０２は、映像音声情報と再生制御情報とを光ディスク１０１から読み取る。増幅手段１０３は、読取手段１０２によって読み出された情報を増幅する。さらに、増幅手段１０３は、読取手段１０２によって読み出された情報の状態に基づいて読取手段１０２のフォーカス位置およびトラッキング位置を調整するようサーボ手段１０７に指示を与える。信号処理手段１０４は、増幅手段１０３によって増幅された情報に対し誤り訂正その他の信号処理を行う。再生制御情報記憶手段１０９は、信号処理手段１０４が出力した再生制御情報を記憶する。再生制御手段１１０は、再生制御情報記憶手段１０９に記憶された再生制御情報を参照して読取制御手段１０８に目的のアドレスを指示する。読取制御手段１０８は、読取手段１０２が光ディスク１０１の目的のアドレスに移動するようサーボ手段１０７に指示を与える。サーボ手段１０７は、増幅手段１０３からの指示に従って読取手段１０２の位置をフォーカス方向およびトラッキング方向に制御するとともに、読取制御手段１０８の指示に従って読取手段１０２の位置を半径方向に制御する。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。
【０１１３】
以下、再生制御手段１１０が行う再生制御処理について詳細に説明する。
【０１１４】
まず、図５のＤＶＤビデオフォーマットで記録された映像音声情報を再生する場合について説明する。図１１は、ＤＶＤビデオフォーマットの場合の再生制御処理を示すフローチャートである。図１２は、再生制御処理におけるキー入力イベント処理（図１１の１１０３）の詳細を示すフローチャートである。図１３は、再生制御処理におけるランダム選曲処理（図１１の１１０６）の詳細を示すフローチャートである。図１４は、再生制御処理におけるスキャン選曲処理（図１１の１１０８）の詳細を示すフローチャートである。
【０１１５】
図１１において、まず、再生制御情報を取得する（１１０１）。ここで、図５のプリコマンド５３１と、セルコマンド５３２と、ポストコマンド５３３とが、図１の再生制御情報記憶手段１０９に記憶される。また、図７のナビゲーションパック７１４に格納されていたハイライトコマンド７４１、７４２、７４３、７４４、７５５が、図１の再生制御情報記憶手段１０９に記憶される。なお、プリコマンド５３１と、セルコマンド５３２と、ポストコマンド５３３と、ハイライトコマンド７４１、７４２、７４３、７４４、７４５は、映像音声情報の再生順序を制御する命令である。
【０１１６】
次に、イベントの発生を待つ（１１０２）。
【０１１７】
利用者が図１の操作手段１１１においてランダム再生に制御を切り換えるランダム再生キーを押した場合、操作手段１１１からランダム再生キーの押下が通知され、キーの種別に対応した処理を実行する（１１０３）。図１２において、ランダム再生キーに対応した処理に分岐し（１２０１）、ランダム再生をオンの状態にし（１２０２）、スキャン再生をオフの状態にする（１２０３）。
【０１１８】
また、利用者が図１の操作手段１１１においてスキャン再生に制御を切り換えるスキャン再生キーを押した場合、操作手段１１１からスキャン再生キーの押下が通知され、キーの種別に対応した処理を実行する（１１０３）。図１２において、スキャン再生キーに対応した処理に分岐し、スキャン再生をオンの状態にし（１２０４）、ランダム再生をオフの状態にする（１２０５）。
【０１１９】
また、利用者が図１の操作手段１１１において通常再生に制御を切り換える通常再生キーを押した場合、操作手段１１１から通常再生キーの押下が通知され、キーの種別に対応した処理を実行する（１１０３）。図１２において、通常再生キーに対応した処理に分岐し、ランダム再生をオフの状態にし（１２０６）、スキャン再生をオフの状態にする（１２０７）。
【０１２０】
また、プログラムチェーン先頭のセル５１１の再生を開始する直前にプログラムチェーン先頭イベントが発生する。プログラムチェーン先頭イベントが発生したとき、通常再生であるか否かを判定し、通常再生の場合は、再生制御情報記憶手段１０９に記憶されたプリコマンドを参照して実行する（１１１１）。一方、ランダム再生の場合またはスキャン再生の場合は、再生制御情報記憶手段１０９に記憶されたプリコマンドを無効にして、プリコマンドの実行をスキップする（１１１０）。
【０１２１】
また、図５の第１のセル再生情報５２１、第２のセル再生情報５２２および第３のセル再生情報５２３に基づいて、第１のセル５１１、第２のセル５１２、第３のセル５１３の順にそれぞれ映像音声情報の再生が行われ、目標セルに到達した時点で、目標セル到達イベントが発生する。目標セル到達イベントが発生したとき、通常再生であるか否かを判定し、通常再生の場合は、映像音声情報の再生を停止し（１１２１）、再生制御情報記憶手段１０９に記憶されたセルコマンドを参照して実行し（１１２２）、映像音声情報の再生を再開する（１１２３）。一方、ランダム再生の場合またはスキャン再生の場合は、再生制御情報記憶手段１０９に記憶されたセルコマンドを無効にして、セルコマンドの実行をスキップする（１１２０）。
【０１２２】
また、図５の第４のセル再生情報５２４、第５のセル再生情報５２５および第６のセル再生情報５２６に基づいて、第４のセル５１４、第５のセル５１５、第６のセル５１６の順にそれぞれ映像音声情報の再生が行われ、第６のセル５１６の再生が終了した時点で、プログラムチェーン終了イベントが発生する。プログラムチェーン終了イベントが発生したとき、通常再生であるか否かを判定し、通常再生の場合は、再生制御情報記憶手段１０９に記憶されたポストコマンドに従った処理を実行し（１１３１）、図５のリンク関係情報５４０を参照して次のプログラムチェーンを特定し（１１３２）、次のプログラムチェーンに関する情報を取得する（１１３３）。一方、ランダム再生の場合またはスキャン再生の場合は、再生制御情報記憶手段１０９に記憶されたポストコマンドを無効にして、ポストコマンドの実行をスキップする（１１３０）。
【０１２３】
なお、プリコマンド、セルコマンドおよびポストコマンドのいずれかがメニューを再生するという命令であった場合には、メニューが再生される。メニューが再生された状態で、利用者が図１の操作手段１１１の選択キーによってメニュー上の選択項目を選択した場合、図１の操作手段１１１から選択キーの操作が通知されて、キーの種別に対応した処理を実行する（１１０３）。図１２において、選択キーに対応した処理に分岐し、通常再生であるか否かを判定し（１２１０）、通常再生の場合は、さらにハイライト情報があるか否か判定し（１２１１）、ハイライト情報があった場合、ハイライト情報のハイライトコマンドに従った処理を実行する（１２１２）。一方、ランダム再生の場合またはスキャン再生の場合は、再生制御情報記憶手段１０９に記憶されたハイライトコマンドを無効にして、ハイライトコマンドの実行をスキップする（１２１０）。
【０１２４】
また、曲の再生が終了した時点で、１曲毎に曲終了イベントが発生し、ランダム再生であるか否かを判定する（１１０５）。ランダム再生である場合、次の曲をランダムに選曲する（１１０６）。詳細には、図１３において、乱数を発生し（１３０１）、光ディスクの範囲内であるか否かを判定し（１３０２）、ランダムに選曲した曲の先頭に目的アドレスを変更する（１３０３）。
【０１２５】
また、所定の単位時間（例えば１秒）が経過する毎に単位時間経過イベントが発生し、スキャン再生であるか否かを判定する（１１０７）。スキャン再生である場合、次の曲をスキャンして選曲する（１１０８）。詳細には、図１４において、曲の再生開始から予め決められた一定時間（例えば１０秒）が経過したか否か判定し（１４０１）、一定時間経過した場合、スキャンして新たに選曲した曲の先頭に目的アドレスを変更する（１４０２）。
【０１２６】
次に、図８のＤＶＤオーディオフォーマットで記録された情報を再生する場合について説明する。図１５は、ＤＶＤオーディオフォーマットの場合の再生制御処理を示すフローチャートである。なお、図１５において、図１１に示したＤＶＤビデオフォーマットの場合と同じステップは、同じ符号としてあり、詳細な説明を省略する。
【０１２７】
ＤＶＤオーディオフォーマットの場合、図１５の情報取得のステップ（１１０１、１１０４および１１３３）において、図８のリターンメニューフラグ８３０が図１の再生制御情報記憶手段１０９に記憶される。なお、ＤＶＤビデオフォーマットと異なり、プログラムチェーンにプリコマンド、セルコマンドおよびポストコマンドは存在しない。したがって、プログラム先頭イベントは何も行わない。また、目標セル到達イベントは発生しない。また、プログラムチェーン終了イベントが発生してもポストコマンドの処理は行わず、代わりに、リターンメニューフラグに従った処理を行う。
【０１２８】
プログラムチェーン終了イベントが発生したとき、通常再生であるか否かを判定し、通常再生の場合は、再生制御情報記憶手段１０９に記憶されたリターンメニューフラグ８３０を参照してリターンメニューフラグがセットされているときには、メニューを再生し（１５３１）、次のプログラムチェーンに関する情報を取得する（１１３３）。一方、ランダム再生の場合またはスキャン再生の場合は、再生制御情報記憶手段１０９に記憶されたリターンメニューフラグを無効にして、メニューの再生をスキップする（１５３０）。
【０１２９】
以上、説明したように、第１の実施の形態の映像音声情報再生装置１００は、従来の映像音声情報再生装置と異なり、再生制御手段１１０が、通常再生の場合は、再生制御情報記憶手段１０９に記憶された、映像音声情報の再生順序を制御する命令を参照して実行し、ランダム再生の場合は、再生制御情報記憶手段１０９に記憶された、映像音声情報の再生順序を制御する命令を無効とするようになっているので、ランダム再生中にコンテンツの映像からメニューの映像に切り換わることがなく、したがって再生状態の不一致が解消され、利用者に違和感を与えないようにすることができる。また、従来の映像音声情報再生装置と異なり、再生制御手段１１０が、通常再生の場合は、再生制御情報記憶手段１０９に記憶された、映像音声情報の再生順序を制御する命令を参照して実行し、スキャン再生の場合は、再生制御情報記憶手段１０９に記憶された、映像音声情報の再生順序を制御する命令を無効とするようになっているので、スキャン再生中にコンテンツの映像からメニューの映像に切り換わることがなく、したがって再生状態の不一致が解消され、利用者に違和感を与えないようにすることができる。
【０１３０】
（第２の実施の形態）
第２の実施の形態における映像音声情報再生装置の構成について、図１を用いて説明する。第２の実施の形態の映像音声情報再生装置１００は、第１の実施の形態と異なり、再生制御情報記憶手段１０９に映像音声情報の再生順序を制御する命令が記憶されているとき、再生制御手段１１０が、ランダム再生の場合はランダム再生から通常再生に制御を切り換えるようになっている。また、第１の実施の形態と異なり、再生制御情報記憶手段１０９に映像音声情報の再生順序を制御する命令が記憶されているとき、再生制御手段１１０が、スキャン再生の場合はスキャン再生から通常再生に制御を切り換えるようになっている。その他の構成要件については、第１の実施の形態と同じであり、詳細な説明を省略する。
【０１３１】
次に、再生制御手段１１０が行う再生制御処理について説明する。
【０１３２】
まず、図５のＤＶＤビデオフォーマットで記録された映像音声情報を再生する場合について説明する。図１６は、第２の実施の形態におけるＤＶＤビデオフォーマットの場合の再生制御処理を示すフローチャートである。図１７は、第２の実施の形態におけるキー入力イベント処理（図１６の１６０３）の詳細を示すフローチャートである。なお、図１６および図１７において、図１１および図１２に示した第１の実施の形態におけるステップと同じステップは、同じ符号としてあり、詳細な説明を省略する。
【０１３３】
図１６のイベント待ち（１１０２）のステップにおいて、プログラムチェーン先頭イベントが発生したとき、再生制御情報記憶手段１０９に記憶されたプリコマンドを参照して実行する（１１１１）。ここで、ランダム再生の場合またはスキャン再生の場合、再生制御情報記憶手段１０９にプリコマンドが記憶されているか否かを判定し（１６１５）、再生制御情報記憶手段１０９にプリコマンドが記憶されているとき、通常再生に制御を切り換える（１６１６）。
【０１３４】
また、目標セル到達イベントが発生したとき、映像音声情報の再生を停止し（１１２１）、再生制御情報記憶手段１０９に記憶されたセルコマンドを参照して実行する（１１２２）。次に、ランダム再生の場合またはスキャン再生の場合、再生制御情報記憶手段１０９にセルコマンドが記憶されているか否かを判定し（１６２５）、再生制御情報記憶手段１０９にプリコマンドが記憶されているとき、通常再生に制御を切り換える（１６２６）。
【０１３５】
また、プログラムチェーン終了イベントが発生したとき、再生制御情報記憶手段１０９に記憶されたポストコマンドに従った処理を実行する（１１３１）。次に、ランダム再生の場合またはスキャン再生の場合、再生制御情報記憶手段１０９にポストコマンドが記憶されているか否かを判定し（１６３５）、再生制御情報記憶手段１０９にポストコマンドが記憶されているとき、通常再生に制御を切り換える（１６３６）。
【０１３６】
なお、プリコマンド、セルコマンドおよびポストコマンドのいずれかがメニューを再生するという命令であった場合には、メニューが再生される。メニューが再生された状態で、利用者が図１の操作手段１１１の選択キーによってメニュー上の選択項目を選択した場合、図１の操作手段１１１から選択キーの操作が通知されて、キーの種別に対応した処理を実行する（１６０３）。図１７において、選択キーに対応した処理に分岐し、ハイライト情報があるか否か判定し（１２１１）、ハイライト情報があった場合、ハイライト情報のハイライトコマンドに従った処理を実行する（１２１２）。次に、ランダム再生の場合またはスキャン再生の場合、再生制御情報記憶手段１０９にハイライトコマンドが記憶されているか否かを判定し（１７１４）、再生制御情報記憶手段１０９にハイライトコマンドが記憶されているとき、通常再生に制御を切り換える（１７１５）。
【０１３７】
次に、図８のＤＶＤオーディオフォーマットで記録された情報を再生する場合について説明する。図１８は、第２の実施の形態におけるＤＶＤオーディオフォーマットの場合の再生制御処理を示すフローチャートである。なお、図１８において、図１５に示した第１の実施の形態におけるステップと同じステップは、同じ符号としてあり、詳細な説明を省略する。
【０１３８】
図１８のイベント待ち（１１０２）のステップにおいて、プログラムチェーン終了イベントが発生したとき、再生制御情報記憶手段１０９に記憶されたリターンメニューフラグ８３０を参照してリターンメニューフラグがセットされているときには、戻りのメニューを再生する（１５３１）。次に、ランダム再生の場合またはスキャン再生の場合、再生制御情報記憶手段１０９にリターンメニューフラグが記憶されているか否かを判定し（１８３５）、再生制御情報記憶手段１０９にリターンメニューフラグが記憶されているとき、通常再生に制御を切り換える（１８３６）。
【０１３９】
以上、説明したように、第２の実施の形態の映像音声情報再生装置１００は、再生制御情報記憶手段１０９に映像音声情報の再生順序を制御する命令が記憶されているとき、再生制御手段１１０が、ランダム再生の場合はランダム再生から通常再生に制御を切り換えるようになっているので、メニューの映像に切り換わったときにコンテンツの再生が停止するような場合であっても、ランダム再生が解除されて再生状態の不一致が解消され、したがって利用者に違和感を与えないようにすることができる。また、再生制御情報記憶手段１０９に映像音声情報の再生順序を制御する命令が記憶されているとき、再生制御手段１１０が、スキャン再生の場合はスキャン再生から通常再生に制御を切り換えるようになっているので、メニューの映像に切り換わったときにコンテンツの再生が停止するような場合であっても、スキャン再生が解除されて再生状態の不一致が解消され、したがって利用者に違和感を与えないようにすることができる。
【０１４０】
（第３の実施の形態）
第３の実施の形態における映像音声情報再生装置の構成について、図１を用いて説明する。第３の実施の形態の映像音声情報再生装置１００は、第２の実施の形態と異なり、再生制御手段１１０が、再生制御情報記憶手段１０９に記憶された、映像音声情報の再生順序を制御する命令を参照してメニューを再生するとき、ランダム再生の場合はランダム再生から通常再生に制御を切り換えるようになっている。また、第２の実施の形態と異なり、再生制御手段１１０が、再生制御情報記憶手段１０９に記憶された、映像音声情報の再生順序を制御する命令を参照してメニューを再生するとき、スキャン再生の場合はスキャン再生から通常再生に制御を切り換えるようになっている。その他の構成要件については、第２の実施の形態と同じであり、詳細な説明を省略する。
【０１４１】
次に、再生制御手段１１０が行う再生制御処理について説明する。
【０１４２】
まず、図５のＤＶＤビデオフォーマットで記録された映像音声情報を再生する場合について説明する。図１９は、第３の実施の形態におけるＤＶＤビデオフォーマットの場合の再生制御処理を示すフローチャートである。図２０は、第３の実施の形態におけるキー入力イベント処理（図１９の１９０３）の詳細を示すフローチャートである。なお、図１９および図２０において、図１６および図１７に示した第２の実施の形態におけるステップと同じステップは、同じ符号としてあり、詳細な説明を省略する。
【０１４３】
図１９のイベント待ち（１１０２）のステップにおいて、プログラムチェーン先頭イベントが発生したとき、再生制御情報記憶手段１０９に記憶されたプリコマンドを参照して実行する（１１１１）。ここで、ランダム再生の場合またはスキャン再生の場合、再生制御情報記憶手段１０９に記憶されたプリコマンドを参照してメニューを再生したか否か判定し（１９１５）、メニューを再生したとき、通常再生に制御を切り換える（１９１６）。
【０１４４】
また、目標セル到達イベントが発生したとき、映像音声情報の再生を停止し（１１２１）、再生制御情報記憶手段１０９に記憶されたセルコマンドを参照して実行する（１１２２）。ここで、ランダム再生の場合またはスキャン再生の場合、再生制御情報記憶手段１０９に記憶されたセルコマンドを参照してメニューを再生したか否か判定し（１９２５）、メニューを再生したとき、通常再生に制御を切り換える（１９２６）。
【０１４５】
また、プログラムチェーン終了イベントが発生したとき、再生制御情報記憶手段１０９に記憶されたポストコマンドに従った処理を実行する（１１３１）。ここで、ランダム再生の場合またはスキャン再生の場合、再生制御情報記憶手段１０９に記憶されたポストコマンドを参照してメニューを再生したか否か判定し（１９３５）、メニューを再生したとき、通常再生に制御を切り換える（１９３６）。
【０１４６】
なお、プリコマンド、セルコマンドおよびポストコマンドのいずれかがメニューを再生するという命令であった場合には、メニューが再生される。メニューが再生された状態で、利用者が図１の操作手段１１１の選択キーによってメニュー上の選択項目を選択した場合、図１の操作手段１１１から選択キーの操作が通知されて、キーの種別に対応した処理を実行する（１９０３）。図２０において、選択キーに対応した処理に分岐し、ハイライト情報があるか否か判定し（１２１１）、ハイライト情報があった場合、ハイライト情報のハイライトコマンドに従った処理を実行する（１２１２）。ここで、ランダム再生の場合またはスキャン再生の場合、再生制御情報記憶手段１０９に記憶されたハイライトコマンドを参照してメニューを再生したか否か判定し（２０１４）、メニューを再生したとき、通常再生に制御を切り換える（２０１５）。
【０１４７】
次に、図８のＤＶＤオーディオフォーマットで記録された情報を再生する場合について説明する。図２１は、第３の実施の形態におけるＤＶＤオーディオフォーマットの場合の再生制御処理を示すフローチャートである。なお、図２１において、図１８に示した第２の実施の形態におけるステップと同じステップは、同じ符号としてあり、詳細な説明を省略する。
【０１４８】
図２１のイベント待ち（１１０２）のステップにおいて、プログラムチェーン終了イベントが発生したとき、再生制御情報記憶手段１０９に記憶されたリターンメニューフラグ８３０を参照してリターンメニューフラグがセットされているときには、戻りのメニューを再生する（１５３１）。ここで、ランダム再生またはスキャン再生であるか否かを判定し（２１３４）、ランダム再生の場合またはスキャン再生の場合、再生制御情報記憶手段１０９に記憶されたリターンメニューフラグを参照してメニューを再生したか否か判定し（２１３５）、メニューを再生したとき、通常再生に制御を切り換える（２１３６）。
【０１４９】
以上、説明したように、第３の実施の形態の映像音声情報再生装置１００は、再生制御手段１１０が、再生制御情報記憶手段１０９に記憶された、映像音声情報の再生順序を制御する命令を参照してメニューを再生したとき、ランダム再生の場合はランダム再生から通常再生に制御を切り換えるようになっているので、メニューの映像に切り換わったときにコンテンツの再生が停止するような場合であっても、ランダム再生が解除されて再生状態の不一致が解消され、したがって利用者に違和感を与えることがないようにすることができる。また、メニューの映像に切り換らない場合には、ランダム再生が継続され、したがって利用者に違和感を与えないようにすることができる。また、再生制御手段１１０が、再生制御情報記憶手段１０９に記憶された、映像音声情報の再生順序を制御する命令を参照してメニューを再生するとき、スキャン再生の場合はスキャン再生から通常再生に制御を切り換えるようになっているので、メニューの映像に切り換わったときにコンテンツの再生が停止するような場合であっても、スキャン再生が解除されて再生状態の不一致が解消され、したがって利用者に違和感を与えることがないようにすることができる。また、メニューの映像に切り換らない場合には、スキャン再生が継続され、したがって利用者に違和感を与えないようにすることができる。
【０１５０】
【発明の効果】
本発明は、再生状態の不一致を解消し、利用者に違和感を与えることなくランダム再生をすることができるという優れた効果を有する映像音声情報再生装置および映像音声情報再生方法を提供する。
【図面の簡単な説明】
【図１】本発明に係る映像音声情報再生装置の実施の形態におけるブロック図
【図２】本発明に係る映像音声情報再生装置の実施の形態における通常再生の例を示す説明図
【図３】本発明に係る映像音声情報再生装置の実施の形態におけるランダム再生の例を示す説明図
【図４】本発明に係る映像音声情報再生装置の実施の形態におけるスキャン再生の例を示す説明図
【図５】本発明に係る映像音声情報再生装置の実施の形態におけるＤＶＤビデオフォーマットの映像音声情報の例を示す説明図
【図６】本発明に係る映像音声情報再生装置の実施の形態におけるＤＶＤビデオフォーマットの再生制御情報の格納例を示す説明図
【図７】本発明に係る映像音声情報再生装置の実施の形態におけるＤＶＤビデオフォーマットのセルの例を示す説明図
【図８】本発明に係る映像音声情報再生装置の実施の形態におけるＤＶＤオーディオフォーマットの映像音声情報の例を示す説明図
【図９】本発明に係る映像音声情報再生装置の実施の形態におけるＤＶＤオーディオフォーマットの再生制御情報の格納例を示す説明図
【図１０】本発明に係る映像音声情報再生装置の実施の形態におけるＤＶＤオーディオフォーマットのセルの例を示す説明図
【図１１】本発明に係る映像音声情報再生装置の第１の実施の形態におけるＤＶＤビデオフォーマットの場合の再生制御処理を示すフローチャート
【図１２】本発明に係る映像音声情報再生装置の第１の実施の形態におけるキー入力イベント処理を示すフローチャート
【図１３】本発明に係る映像音声情報再生装置の実施の形態におけるランダム選曲処理を示すフローチャート
【図１４】本発明に係る映像音声情報再生装置の実施の形態におけるスキャン選曲処理を示すフローチャート
【図１５】本発明に係る映像音声情報再生装置の第１の実施の形態におけるＤＶＤオーディオフォーマットの場合の再生制御処理を示すフローチャート
【図１６】本発明に係る映像音声情報再生装置の第２の実施の形態におけるＤＶＤビデオフォーマットの場合の再生制御処理を示すフローチャート
【図１７】本発明に係る映像音声情報再生装置の第２の実施の形態におけるキー入力イベント処理を示すフローチャート
【図１８】本発明に係る映像音声情報再生装置の第２の実施の形態におけるＤＶＤオーディオフォーマットの場合の再生制御処理を示すフローチャート
【図１９】本発明に係る映像音声情報再生装置の第３の実施の形態におけるＤＶＤビデオフォーマットの場合の再生制御処理を示すフローチャート
【図２０】本発明に係る映像音声情報再生装置の第３の実施の形態におけるキー入力イベント処理を示すフローチャート
【図２１】本発明に係る映像音声情報再生装置の第３の実施の形態におけるＤＶＤオーディオフォーマットの場合の再生制御処理を示すフローチャート
【図２２】従来の映像音声情報再生装置のブロック図
【図２３】従来の映像音声情報再生装置におけるＤＶＤビデオフォーマットの場合の再生制御処理を示すフローチャート
【図２４】従来の映像音声情報再生装置におけるキー入力イベント処理を示すフローチャート
【図２５】従来の映像音声情報再生装置におけるＤＶＤオーディオフォーマットの場合の再生制御処理を示すフローチャート
【符号の説明】
１０１  光ディスク（媒体）
１０２  読取手段
１０３  増幅手段
１０４  信号処理手段
１０５  映像音声情報記憶手段
１０６  復号手段
１０７  サーボ手段
１０８  読取制御手段
１０９  再生制御情報記憶手段
１１０  再生制御手段
１１１  操作手段
１１２  映像出力手段
１１３  音声出力手段
【図１】
0003913545.tif 000002
【図２】
0003913545.tif 000003
【図３】
0003913545.tif 000004
【図４】
0003913545.tif 000005
【図５】
0003913545.tif 000006
【図６】
0003913545.tif 000007
【図７】
0003913545.tif 000008
【図８】
0003913545.tif 000009
【図９】
0003913545.tif 000010
【図１０】
0003913545.tif 000011
【図１１】
0003913545.tif 000012
【図１２】
0003913545.tif 000013
【図１３】
0003913545.tif 000014
【図１４】
0003913545.tif 000015
【図１５】
0003913545.tif 000016
【図１６】
0003913545.tif 000017
【図１７】
0003913545.tif 000018
【図１８】
0003913545.tif 000019
【図１９】
0003913545.tif 000020
【図２０】
0003913545.tif 000021
【図２１】
0003913545.tif 000022
【図２２】
0003913545.tif 000023
【図２３】
0003913545.tif 000024
【図２４】
0003913545.tif 000025
【図２５】
0003913545.tif 000026